(57)【要約】【課題】電気機器の購入時より各個人の嗜好に近いレシピを提供することができるレシピ提供システムを提案する。【解決手段】レシピ提供システムは、ネットワーク回線を通じてサーバ（２０）より料理のレシピを調理装置を介して提供する。レシピ提供システムは、レシピの提供を要求する調理装置のユーザの、調理の嗜好を特定するための属性を判定する属性判定部（２１２）と、該属性により特定される調理の嗜好の情報を収集する嗜好収集部（２１３）と、属性判定部（２１２）にて判定されたユーザの属性と嗜好収集部（２１３）にて収集された情報とに基づいて、ユーザの嗜好にあったレシピを提供するレシピ提供部（２１５）と、を備える。【選択図】図３
2017215687.tif 000002
【特許請求の範囲】
【請求項１】
ネットワーク回線を通じてサーバより料理のレシピを、電気機器を介して提供するレシピ提供システムであって、
レシピの提供を要求する前記電気機器のユーザの、調理の嗜好を特定するための属性を判定する属性判定部と、
前記属性により特定される前記嗜好の情報を収集する嗜好収集部と、
前記属性判定部にて判定された前記ユーザの前記属性と前記嗜好収集部にて収集された前記情報とに基づいて、前記ユーザの嗜好にあったレシピを提供するレシピ提供部と、
を備えることを特徴とするレシピ提供システム。
【請求項２】
前記属性が、前記ユーザの性別又は年齢又はその両方であることを特徴とする請求項１に記載のレシピ提供システム。
【請求項３】
前記属性判定部は、前記電気機器に搭載された音声入力部より入力された前記ユーザの音声を認識することで前記ユーザの性別又は年齢又はその両方を判定することを特徴とする請求項２に記載のレシピ提供システム。
【請求項４】
前記属性が、前記ユーザの居住する地域であることを特徴とする請求項１から３の何れか１項に記載のレシピ提供システム。
【請求項５】
前記属性判定部は、前記電気機器と前記ネットワーク回線との接続に必要な情報に基づいて前記ユーザの居住する地域を判定することを特徴とする請求項４に記載のレシピ提供システム。
【請求項６】
前記属性は、好まれる料理のメニューも特定するものであり、
ネットワーク回線を通じてサーバよりメニューを、電気機器を介して提案するメニュー提案部と、
前記属性により特定される好まれるメニューの情報を収集するメニュー収集部と、
をさらに備え、
前記属性判定部は、メニューの提案を要求する前記電気機器のユーザの前記属性を判定し、
前記メニュー提案部は、前記属性判定部にて判定された前記ユーザの前記属性と前記メニュー収集部にて収集された前記情報とに基づいて、前記ユーザの好みにあったメニューを提案することを特徴とする請求項１から５の何れか１項に記載のレシピ提供システム。
【請求項７】
ネットワーク回線を通じて料理のレシピを、電気機器を介して提供するサーバであって、
前記電気機器を介してレシピの提供を要求する複数のユーザを対象として、調理の嗜好を特定するための属性ごとの前記嗜好の情報を収集する嗜好収集部と、
前記電気機器を介してレシピの提供を要求する前記複数のユーザそれぞれの前記属性を判定する属性判定部と、
前記属性判定部にて判定された前記複数のユーザそれぞれの前記属性と前記嗜好収集部にて収集された前記情報とに基づいて、前記複数のユーザそれぞれの嗜好にあったレシピを提供するレシピ提供部と、を備えることを特徴とするサーバ。
【発明の詳細な説明】
【技術分野】
【０００１】
本発明は、調理装置や冷蔵庫等の電気機器を介してサーバよりレシピを提供するレシピ提供システムに関する。
【背景技術】
【０００２】
家屋内に設置される冷蔵庫や加熱調理機等のいわゆる家電と称される電気機器では、モノのインターネット（ＩｏＴ（Internet of Things））化がすすんでいる。例えば、ネットワーク回線を通じて、遠隔操作にて冷蔵庫内の食材情報を外出先から確認することができたり、冷蔵庫や加熱調理機に音声操作にてメニューを相談してサーバからメニューの提案を受けたり、レシピを取得したりすることも可能となっている。
【０００３】
例えば、特許文献１には、ネットワーク回線または情報保持装置を装備することにより、新しいメニューやレシピ、宣伝広告サービスを提供し、過去の料理履歴や各個人の好み等を考慮する新しい調理装置が記載されている。
【先行技術文献】
【特許文献】
【０００４】
【特許文献１】特開２００１−９０９５３号公報
【発明の概要】
【発明が解決しようとする課題】
【０００５】
しかしながら、上記特許文献１の調理装置では、購入直後は各個人の嗜好の学習が行われていないため、しばらく使い続けないと、各個人の嗜好にあったレシピを提供できないといった問題がある。
【０００６】
本発明は、上記課題に鑑みなされたものであって、購入時より各個人の嗜好に近いレシピを提供することができる調理装置およびレシピ提供システムを提供することにある。
【課題を解決するための手段】
【０００７】
上記の課題を解決するために、本発明の一態様に係るレシピ提供システムは、ネットワーク回線を通じてサーバより料理のレシピを、電気機器を介して提供するレシピ提供システムであって、レシピの提供を要求する前記電気機器のユーザの、調理の嗜好を特定するための属性を判定する属性判定部と、前記属性により特定される前記嗜好の情報を収集する嗜好収集部と、前記属性判定部にて判定された前記ユーザの前記属性と前記嗜好収集部にて収集された前記情報とに基づいて、前記ユーザの嗜好にあったレシピを提供するレシピ提供部と、を備えることを特徴としている。
【発明の効果】
【０００８】
本発明の一態様に係るレシピ提供システムによれば、電気機器の購入時より各個人の嗜好に近いレシピを提供することができるという効果を奏する。
【図面の簡単な説明】
【０００９】
【図１】本発明の実施の一形態に係るレシピ提供システムの概略構成を示すイメージ図である。
【図２】上記レシピ提供システムにおける調理装置の概略構成を示すブロック図である。
【図３】上記レシピ提供システムにおけるサーバの概略構成を示すブロック図である。
【図４】上記レシピ提供システムにおけるサーバに保持される属性/嗜好テーブルの内容を示す図である。
【図５】上記レシピ提供システムにおけるサーバに保持される人気メニューランキングテーブルの内容を示す図である。
【図６】上記レシピ提供システムにおける、レシピの提供を要求されてから、レシピを提供し、提供したレシピに対する批評・感想を用いて個人の嗜好および対応する嗜好属性の嗜好について学習するまでの一連の処理を示すイメージ図である。
【図７】上記レシピ提供システムにおける、メニューの提案を要求されてから、メニューを提案するまでの処理を示すイメージ図である。
【図８】本発明の他の実施の一態様に係るレシピ提供システムにおけるサーバの概略構成を示すブロック図である。
【図９】図８に示すサーバに保持される属性/嗜好テーブルの内容を示す図である。
【図１０】図８に示すサーバに保持される人気メニューランキングテーブルの内容を示す図である。
【図１１】図８に示すサーバを含む上記レシピ提供システムにおける、レシピの提供を要求されてから、レシピを提供し、提供したレシピに対する批評・感想を用いて個人の嗜好および対応する嗜好属性の嗜好について学習するまでの一連の処理を示すイメージ図である。
【図１２】本発明のさらに他の実施の一態様に係るレシピ提供システムにおける、レシピの提供を要求されてから、レシピを提供し、提供したレシピに対する批評・感想を用いて個人の嗜好および対応する嗜好属性の嗜好について学習するまでの一連の処理を示すイメージ図である。
【図１３】本発明のさらに他の実施の一態様に係るレシピ提供システムにおける、レシピの提供を要求されてから、レシピを提供するまでの処理を示すイメージ図である。
【発明を実施するための形態】
【００１０】
〔実施の形態１〕
以下、本発明の一実施形態について図１〜図７に基づいて説明すれば以下の通りである。
【００１１】
（レシピ提供システム１００の構成）
図１は、本実施の形態に係るレシピ提供システム１００の概略構成を示すイメージ図である。図１に示すように、レシピ提供システム１００には、電気機器である調理装置１０と、ネットワーク回線４０を通じて調理装置１０よる料理のレシピを提供するサーバ２０とが含まれる。なお、図１では、サーバ２０に接続されている調理装置１０は１台であるが、実際には、複数の調理装置１０が接続されている。
【００１２】
調理装置１０は、いわゆるネットワーク家電であり通信機能を備える。なお、通信機能は、家電アダプタ（不図示）として調理装置１０に後付けされる構成であってもよい。
【００１３】
家屋内には、例えば無線ＬＡＮ（Wireless Local Area Network）等が整備されており、調理装置１０は、無線ＬＡＮの中継局３０およびネットワーク回線４０を通じてサーバ２０と接続されている。
【００１４】
中継局３０は、例えばＷｉＦｉ（登録商標）ルータやＷｉＦｉ（登録商標）アクセスポイントなどの通信機器である。ネットワーク回線４０は、インターネットを含む構成である。なお、ネットワーク回線４０としては、電話回線網や移動体通信網、ＣＡＴＶ（CAble TeleVision）通信網、衛星通信網等であってもよい。
【００１５】
調理装置１０は、加熱調理として電子レンジ調理やオーブン調理を行う。また、調理装置１０は、ユーザの音声による操作（音声操作）を受け付ける音声操作機能を有している。調理装置１０は、音声操作にてユーザよりメニューの相談を受けると、音声操作の音声データをサーバ２０に送信（アップロード）し、サーバ２０からメニューの情報を取得（ダウンロード）して提案（紹介）する。また、調理装置１０は、音声操作にてユーザよりレシピの取得が要求されると、音声操作の音声データをサーバ２０に送信（アップロード）し、サーバ２０からレシピの情報を取得（ダウンロード）して提供する。なお、調理装置１０におけるメニューの提案やレシピの提供は、調理装置１０に備えられた音声出力部１３や表示部１５を用いて行われる（図２参照）。
【００１６】
なお、本実施の形態では、サーバ２０からレシピを取得して提供する電気製品として調理装置１０を例示するが、冷蔵庫や各種家庭用ロボット（例えば、掃除ロボット、家事支援ロボット、動物型ロボット等）等であってもよい。また、およそ料理や調理と関係のない空気調和機や照明装置等の電気機器であってもよい。
【００１７】
（調理装置１０の構成）
図２は、レシピ提供システム１００における調理装置１０の概略構成を示すブロック図である。図２に示すように、調理装置１０は、制御部１１、記憶部１２、音声出力部１３、音声入力部１４、表示部１５および通信部１６を備えている。なお、図２において、調理機能のブロックは省略している。
【００１８】
制御部１１は、例えば、ＣＰＵ（Central Processing Unit）や専用プロセッサなどの演算処理装置からなり、調理装置１０の各部の動作を制御する。制御部１１には、後述する音声出力制御部１１１、音声入力制御部１１２、表示制御部１１３および通信制御部１１４が構築される。
【００１９】
記憶部１２は、ＲＡＭ（Random Access Memory）、ＲＯＭ（Read Only Memory）、ＨＤＤ（Hard Disk Drive）などを含み、調理装置１０にて用いられる各種データを記憶する。
【００２０】
音声出力部１３は、スピーカなどの音声出力装置であり、音声入力部１４は、マイクなどの音声入力装置である。表示部１５は、液晶表示装置などの薄型表示装置である。また、通信部１６は、中継局３０およびネットワーク回線４０を介してサーバ２０と通信する通信装置である。
【００２１】
音声出力制御部１１１は、音声出力部１３を制御する。音声出力制御部１１１は、サーバ２０より受信した音声データや、出庫時から記憶部１２に格納されている音声データ等をそれぞれのタイミングで音声出力部１３に指示して音声を出力させる。
【００２２】
音声入力制御部１１２は、音声入力部１４を制御する。音声入力制御部１１２は、音声入力部１４より入力された音声操作による音声の音声データを通信部１６に送り、通信部１６がサーバ２０へ送信する。
【００２３】
詳細については後述するが、サーバ２０では、調理装置１０より受信した音声データについて音声認識を行い、調理装置１０の操作を命じる指示が含まれていた場合を調理装置１０に操作を命じるコマンドを送信し、調理装置１０の通信部１６がこれを受信する。また、サーバ２０は、音声認識した結果、メニューの提案やレシピの提供等を命じる指示が含まれていた場合は、命じられた処理を実施して、メニューの情報やレシピの情報を調理装置１０へと送信し、調理装置１０の通信部１６がこれを受信する。
【００２４】
表示制御部１１３は、表示部１５を制御する。表示制御部１１３は、サーバ２０より受信したレシピの情報やメニューの情報をそれぞれのタイミングで表示部１５に指示して表示させる。また、出庫時から記憶部１２に格納されている表示データに基づく表示を、それぞれのタイミングで表示部１５に指示して表示させる。
【００２５】
通信制御部１１４は、通信部１６を制御する。通信制御部１１４は通信部１６に指示し、音声入力部１４より入力された音声の音声データをサーバ２０に送信させる。また、通信制御部１１４は、通信部１６がサーバ２０より操作を命じるコマンドを受信すると、受信したコマンドを制御部１１に送り、制御部１１が、調理装置１０にコマンドの操作を実行させる。また、通信制御部１１４は、通信部１６がサーバ２０より音声データを受信すると、受信した音声データを音声出力制御部１１１に送る。
【００２６】
（サーバ）
図３は、レシピ提供システム１００におけるサーバ２０の概略構成を示すブロック図である。サーバ２０は、調理装置１０を管理すると共にメニューやレシピ等の情報を提供する。なお、管理するサーバと情報を提供するサーバとを分けることもできる。
【００２７】
図３に示すように、サーバ２０は、制御部２１、記憶部２２および通信部２３を備えている。制御部２１は、例えば、ＣＰＵ（Central Processing Unit）や専用プロセッサなどの演算処理部から成り、サーバ２０の各部の動作を制御する。制御部２１には、後述する音声認識部２１１、属性判定部２１２、嗜好収集部２１３、人気メニューランキング収集部２１４、レシピ提供部２１５、メニュー提供部２１６、学習部２１７および通信制御部２１８が構築される。
【００２８】
記憶部２２は、サーバ２０で用いられる各種情報（データ）を記憶する。記憶部２２には、メニュー・レシピＤＢ２２１が設けられ、また、属性/嗜好テーブル２２２、属性/人気メニューランキングテーブル２２３および個人嗜好テーブル２２４を保持している。
【００２９】
メニュー・レシピＤＢ２２１には、サーバ２０が提案する様々なメニューとそのレシピの情報が集められている。属性/嗜好テーブル２２２、属性/人気メニューランキングテーブル２２３および個人嗜好テーブル２２４の詳細については後述する。なお、メニュー・レシピＤＢ２２１および各テーブル２２２〜２２４は、サーバ２０外のネットワーク回線４０に接続されている別の記憶装置に設けられる構成であってもよい。
【００３０】
通信部２３は、ネットワーク回線４０および中継局３０を介して調理装置１０と通信を行う通信装置である。
【００３１】
音声認識部２１１は、通信部２３が調理装置１０より受信した音声データに対して音声認識を行い、音声操作にて命じられた操作の内容を特定する。制御部２１は、特定された内容に従い、調理装置１０に対する操作であれば、通信制御部２１８に指示して、当該操作の実施を命じるコマンドを調理装置１０へと送信する。また、メニューの提案やレシピの提供等が命じられた場合は、レシピ提供部２１５あるいはメニュー提供部２１６に、メニューの提案あるいはレシピの提供を行うように指示する。音声認識部２１１は、音声の音質に基づいて、ユーザ（発話者）の「性別」、「年齢（年齢層）」および「機嫌」を特定することができる。
【００３２】
属性判定部２１２は、レシピの提供を要求したユーザの、調理の嗜好を特定するための属性を判定する。調理の嗜好とは、例えば、味付けの嗜好および焼き加減や煮加減に嗜好である。以下、ユーザの、調理の嗜好を特定するための属性を嗜好属性と称する。
【００３３】
属性判定部２１２は、サーバ２０に接続された複数の調理装置１０を介してレシピの提供を要求した複数のユーザそれぞれの前記嗜好属性を判定する。前記嗜好属性は、例えば、年齢や性別、居住地域を上げることができる。
【００３４】
同じメニューであっても、男性は女性に比べて油っこい味付けを好み、これに対し女性は油を控えたあっさりとした味付けを好む傾向がある。また、年齢によっても味付けの嗜好に違いがあり、１０代、２０代の若者は比較的濃い味付けを好むが、６０代以上の世代（年齢層）は健康等の理由から薄味を好む傾向がある。さらに、居住地域によっても味付けの嗜好に違いがある。例えば、関西地方に住む人は、関東地方に住む人よりも塩味は薄く出汁の効いた味を好み、九州地方に住む人はとかく甘い味付けを、東北地方に住む人は、とかく塩辛い味付けを好む、などの傾向がある。また、７０代以上は柔らかい煮加減を好み、２０代〜４０代の男性や、ステーキなどにおいて浅い焼き加減を好むなど、味付けの嗜好以外の焼き加減や煮加減にも嗜好がある。
【００３５】
本実施の形態では、属性判定部２１２は、音声認識部２１１の音声認識機能にて特定されたユーザの「性別」、「年齢（年齢層）」および「機嫌」を嗜好属性として判定する。なお、「性別」あるいは「年齢」の何れか一方のみを嗜好属性として用いることも可能であるが、両方用いることが好ましい。また、嗜好属性としての「機嫌」は、レシピの提供よりもメニューの提案においてより有効に利用できる。
【００３６】
嗜好収集部２１３は、嗜好属性により特定される調理の嗜好の情報を収集する。嗜好収集部２１３は、サーバ２０に接続された複数の調理装置１０を介してレシピの提供を要求する複数のユーザを対象として、前記嗜好属性ごとの調理の嗜好の情報を収集する。
【００３７】
本実施の形態では、調理の嗜好の情報として、メニュー・レシピＤＢ２２１の登録されている各メニューにおいて、「性別」および「年齢層」ごとに、例えば「甘味」、「旨味」、「塩味」、「酸味」、「苦味」、「焼き加減」、「煮加減」、「脂（油）っこさ」…などの項目について情報を収集する。嗜好収集部２１３は、ネットワーク回線４０を通じて様々な情報源より情報を収集する。収集された嗜好の情報は、記憶部２２の属性/嗜好テーブル２２２に格納される。属性/嗜好テーブル２２２には、嗜好属性ごとの調理の嗜好の情報が格納されている。
【００３８】
図４は、属性/嗜好テーブル２２２の内容を示す図である。図４に示すように、メニューごとに、嗜好属性である年齢層（世代）と性別に対応付けて、調理の嗜好の情報として、「甘味」、「旨味」、「塩味」、「酸味」、「苦味」、「焼き加減」、「煮加減」、「脂っこさ」などの調整度数が格納されている。調整度数は、例えば、メニュー・レシピＤＢ２２１に登録されているレシピ（基本レシピ）に対する調整の割合で示すことができる。
【００３９】
例えば、「甘味」の度数が「+１０」であれば、砂糖やみりん、はちみつ等の甘味を出す調味料の割合を、基本レシピに対して「１０％」増加させる。逆に、「甘味」の度数が「‐７」であれば、基本レシピに対して甘味を出す調味料の割合を「７％」少なくする。
【００４０】
また、「旨味」においては、旨味を出す出汁の量や旨味調味料の量などが調整され、「塩味」においては、塩味を出す塩や醤油の量や醤油の種類（薄口、濃口など）などが調整される。ここで、調理装置１０が、食材に含まれる塩分を減少させる減塩機能を有する場合は、減塩量を調整する構成としてもよい。「酸味」においては、酸味を出す酢や柑橘類の汁の量や種類（米酢、穀物酢、レモン汁など）などが調整され、「苦味」に関しては、苦みを出す材料の量が調整されたり、苦みを出す材料の調理方法や調理時間が、苦みが強くなる方向あるいは弱くなる方法へと調整されたりする。「焼き加減」や「煮加減」では、焼いたり煮たりする調理時間や火加減（強火、弱火、中火）が調整される。「脂っこさ」においては、脂っこさを決める油の量や油の種類（サラダ油、ゴマ油、オリーブオイルなど）や、油で揚げる調理がフライパンでオイル焼きにするなどの調理方法へと調整される。また、調理装置１０が、食材から油脂を落とす脱油機能を有する場合は、脱油量を調整する構成としてもよい。なお、レシピの調整方法は、上記に限るものではなく、種々の方法で調整すればよい。
【００４１】
人気メニューランキング収集部２１４は、嗜好属性により特定される好まれるメニューの情報を収集する。嗜好属性は、好まれる料理のメニューも特定する。人気メニューランキング収集部２１４は、サーバ２０に接続された複数の調理装置１０を介してメニューの提案を要求する複数のユーザを対象として、前記嗜好属性ごとの好まれるメニューの情報を収集する。
【００４２】
本実施の形態では、嗜好属性である、「性別」および「年齢層」と、「喜」、「怒」および「悲」の機嫌ごとに、例えば「朝食メニュー」、「昼食メニュー」、「夕食メニュー」、「和食メニュー」、「中華メニュー」…などの項目について上位３位くらいまでのメニューの情報を収集する。人気メニューランキング収集部２１４は、ネットワーク回線４０を通じて様々な情報源より情報を収集する。収集された人気メニューランキングの情報は、記憶部２２の属性/人気メニューランキングテーブル２２３に格納される。属性/人気メニューランキングテーブル２２３には、属性ごとの人気メニューランキングの情報が格納されている。
【００４３】
図５は、属性/人気メニューランキングテーブル２２３の内容を示す図である。図５に示すように、年齢層（世代）と性別、および機嫌に対応付けて、「朝食メニュー」、「昼食メニュー」、「夕食メニュー」、「和食メニュー」、「中華メニュー」…の項目ごとに上位３位ほどの人気メニューランキングの情報が格納されている。
【００４４】
年齢層（世代）と性別に応じた人気メニューランキングは、例えば、メニュー・レシピＤＢ２２１に登録されているメニューの中から、年齢層（世代）と性別が同じユーザが、レシピの提供を要求する回数が多いものを選出することもできる。
【００４５】
また、機嫌に応じた人気メニューランキングについても、例えば、メニュー・レシピＤＢ２２１に登録されているメニューの中から、レシピを要求したときのユーザの音声の音質を音声認識して機嫌を判定し、機嫌が同じユーザがレシピ提供を要求する回数が多いものを選出することができる。
【００４６】
レシピ提供部２１５は、属性判定部２１２にて判定されたユーザの嗜好属性と、嗜好収集部２１３にて収集された嗜好属性ごとの調理の嗜好の情報とに基づいて、ユーザの嗜好にあったレシピを提供する。
【００４７】
例えば、属性判定部２１２において、２５歳の男性と判定された場合は、図４における、年齢性別「２０代〜３０代、男性」の欄に登録されている調整度数を用いて基本レシピを調整した調整済レシピの情報を提供する。
【００４８】
メニュー提案部２１６は、属性判定部２１２にて判定されたユーザの嗜好属性と、人気メニューランキング収集部２１４にて収集された嗜好属性ごとの人気メニューランキングの情報とに基づいて、ユーザの嗜好にあった人気メニューを提案する。
【００４９】
例えば、属性判定部２１２において、２５歳の男性で機嫌が「悲」（元気がない）と判定された場合は、図５における、年齢性別「２０代〜３０代、男性」の欄および機嫌が「悲」の欄に登録されているメニューの中から、指定された項目（夕食メニューや朝食メニューなど）に属するメニューを提案する。なお、「朝食メニュー」、「昼食メニュー」、「夕食メニュー」、「和食メニュー」、「中華メニュー」の項目については、調理装置１０に対するメニュー相談の発話の中に含めるように、予め取り決めておけばよい。また、項目が含まれていない場合は、「朝食、昼食、夕食、和食、それとも中華のメニュー？」というような発話を行い、それに対する回答を用いて判定するようにしてもよい。
【００５０】
メニュー提供部２１６にて選出された提案するメニューの情報は、２５歳の元気のない男性ユーザがメニューを相談した調理装置１０へ送信される。
【００５１】
学習部２１７は、個人および対応する嗜好属性の調理に関する嗜好を学習する。学習部２１７は、音声認識部２１１を介して得られた提供したレシピに対するユーザの批評・感想に基づいて、ユーザ個人の調理の嗜好の情報と、対応する嗜好属性であるユーザと同性・同世代（同年齢層）の調理の嗜好の情報を収集する。収集された個人の嗜好の情報は、記憶部２２の個人嗜好テーブル２２４に格納され、収集された同性・同世代の嗜好の情報は、属性/嗜好テーブル２２２の更新に用いられる。特に図示してはいないが、個人嗜好テーブル２２４は、例えば、属性/嗜好テーブル２２２と同様に、メニューごとに、批評・感想が得られたメニューに関して、「甘味」、「旨味」、「塩味」、「酸味」、「苦味」、「焼き加減」、「脂っこさ」…などの項目について情報を格納するものであってもよい。なお、学習機能を用いてユーザ個人の嗜好に合わせたレシピを提供する技術としては、既存の技術を用いることができるので、ここではこれ以上の説明は行わない。
【００５２】
通信制御部２１８は、通信部２３を制御する。通信制御部２１８は、通信部２３が調理装置１０より音声データを受信すると、受信した音声データを音声認識部に２１１に送る。また、通信制御部２１８は、嗜好収集部２１３、人気メニューランキング収集部２１４の指示で通信部２３より情報源に、嗜好の情報、人気メニューランキングの情報を要求し、これらの情報を受信すると、嗜好収集部２１３、人気メニューランキング収集部２１４に送る。
【００５３】
（レシピ提供〜学習までの具体例）
図６は、レシピ提供システム１００における、レシピの提供を要求されてから、レシピを提供し、提供したレシピに対する批評・感想を用いて個人の嗜好および対応する嗜好属性の嗜好について学習するまでの一連の処理を示すイメージ図である。
【００５４】
調理装置１０に対し、７０代の女性がレシピの提供を要求する、例えば「茶碗蒸しの作り方を教えて。」と発話すると、調理装置１０は、この発話の音声データをサーバ２０にアップロード（音声アップロード）する（図６の（１））。
【００５５】
サーバ２０は、アップロードされた音声データを音声認識し、茶碗蒸しのレシピが要求されたことを認識すると共に、発話者の嗜好属性として年齢・性別を判定し、茶碗蒸しのレシピを要求したユーザは、７０代の女性であると特定する（図６の（２））。
【００５６】
次に、サーバ２０は、記憶部２２における属性/嗜好テーブル２２２を参照し、７０代の女性の嗜好に合った茶碗蒸しのレシピの情報を問合せる（図６の（３））。
【００５７】
具体的には、サーバ２０は、図４に示す属性/嗜好テーブル２２２において、メニュー「茶碗蒸し」の各項目における、年齢性別６０代〜７０代の女性の欄に登録されている調整度数に応じて、基本レシピを調整した調整済レシピの情報を取得し、調整済レシピを調理装置１０にダウンロードする（図６の（４））。
【００５８】
このとき、サーバ２０は、７０代の女性の嗜好に合わせた味付けの特徴を伝える、例えば「塩分控えめの茶碗蒸しのレシピはどうかなぁ？」などの音声データもレシピの情報と共に送る。
【００５９】
これにより、調理装置１０は、「塩分控えめの茶碗蒸しのレシピはどうかなぁ？」といった発話と共に、７０代の女性に対し、嗜好に合った茶碗蒸しのレシピを提供することができる。
【００６０】
調理後、調理装置１０は、前に提供したレシピに対するユーザの批評・感想を得るために、例えば「この前作った茶碗蒸しどうだったかなぁ？」と発話する。これに対し、ユーザが、「ちょっと味が薄かったかな。」と発話すると、調理装置１０は、感想・批評を示すこの発話の音声データをサーバ２０にアップロード（音声アップロード）する（図６の（５））。また、このとき、調理装置１０は、ユーザの回答に応じて、例えば「ありがとう、次はもっと美味しく作れるように頑張るよ。」といった返事を発話する。
【００６１】
サーバ２０は、アップロードされた音声データを音声認識して、提供したレシピに対する批評・感想の内容を特定すると共に、発話者の嗜好属性として年齢・性別を判定し、提供したレシピに対する批評・感想を述べたユーザは、７０代の女性であると特定する（図６の（６））。
【００６２】
次に、サーバ２０は、提供したレシピに対する批評・感想の内容を用いて、調理装置１０に対応付けられた７０代の女性ユーザ個人の個人嗜好テーブル２２４および、属性/嗜好テーブル２２２における７０代の女性の調理の嗜好の情報を更新し、学習する（図６の（７））。
【００６３】
例えば、批評・感想の内容が「ちょっと味が薄かったかな。」であれば、個人嗜好テーブル２２４におけるメニュー「茶碗蒸し」の嗜好の情報において、提案したレシピよりも味が濃くなる方向に変更した調整度数を登録する。また、属性/嗜好テーブル２２２におけるメニュー「茶碗蒸し」の７０代の女性の嗜好の情報においては、「薄い」との回答が得られたことを更新のために必要なデータとして記録する。
【００６４】
（メニュー提案の具体例）
図７は、レシピ提供システム１００における、メニューの提案を要求されてから、メニューを提案するまでの処理を示すイメージ図である。
【００６５】
調理装置１０に対し、例えば、３０代の元気のない男性が、夕食のメニューの提案を要求する、例えば「夕食のメニューを提案して。」と発話すると、調理装置１０は、この発話の音声データをサーバ２０にアップロード（音声アップロード）する（図７の（１））。
【００６６】
サーバ２０は、アップロードされた音声データを音声認識し、夕食のメニューを提案が要求されたことを特定すると共に、発話者の属性として年齢・性別・機嫌を判定し、夕食のメニューの提案を要求したユーザは、３０代の元気のない男性であると特定する（図７の（２））。判定された機嫌が「悲」である場合、サーバ２０は、元気がないと判定する。
【００６７】
次に、サーバ２０は、記憶部２２における属性/人気メニューランキングテーブル２２３に対し、３０代の元気のない男性の嗜好に合った夕食のメニューの情報を問合せる（図７の（３））。
【００６８】
具体的には、サーバ２０は、図５に示す属性/人気メニューランキングテーブル２２３において、項目が夕食メニューであって、年齢性別３０代の男性の欄および機嫌が「悲」の欄に登録されている各メニューの中からメニューを取得し、取得したメニューを調理装置１０にダウンロードする（図７の（４））。
【００６９】
このとき、サーバ２０は、３０代の元気のない男性に提案するメニューの特徴を伝える、例えば「元気がないみたいだから、食欲の出る照り焼きチキンとか、ブリの照り焼きとかはどうかなぁ？」などの音声データもメニューの情報と共に送信する。
【００７０】
これにより、調理装置１０は、「元気がないみたいだから、食欲の出る、照り焼きチキンとか、ブリの照り焼きとかはどうかなぁ？」といった発話と共に、３０代の元気のない男性に対し、嗜好に適したメニューを提案することができる。
【００７１】
この後、提案されたメニューの中から、３０代の元気のない男性があるメニューを選択し、そのレシピの提供を要求すると、レシピ提供システム１００は、上述したレシピ提供を行い、３０代の元気のない男性の嗜好に適したレシピを提供する。
【００７２】
以上のように、本実施の形態に係るレシピ提供システム１００においては、嗜好収集部２１３は、嗜好属性である年齢および性別により特定される調理の嗜好の情報を収集し、音声認識部２１１の音声認識結果を基に、属性判定部２１２が、レシピの提供を要求する調理装置１０ユーザの、調理の嗜好を特定するための嗜好属性である年齢および性別を判定する。一方、レシピ提供部２１５は、属性判定部２１２にて判定されたユーザの属性と嗜好収集部２１３にて収集された調理の嗜好の情報とに基づいて、ユーザの嗜好にあったレシピを提供する。
【００７３】
これにより、調理装置１０の購入時より各個人の嗜好に近いレシピを提供することが可能になる。
【００７４】
〔実施の形態２〕
以下、本発明の他の実施の一形態について図８〜図１１に基づいて説明すれば以下の通りである。なお、説明の便宜上、実施の形態１と同じ機能を有する部材には同一の参照符号を付して説明を省略する。
【００７５】
図８は、レシピ提供システム１００Ａにおけるサーバ２０Ａの概略構成を示すブロック図である。サーバ２０Ａは、図３に示したサーバ２０とは、制御部２１に代えて制御部２１Ａを備え、記憶部２２に代えて記憶部２２Ａを備えている点が異なる。
【００７６】
制御部２１Ａは、音声認識部２１１、属性判定部２１２Ａ、嗜好収集部２１３Ａ、人気メニューランキング収集部２１４Ａ、レシピ提供部２１５Ａ、メニュー提案部２１６Ａ、学習部２１７Ａおよび通信制御部２１８を備える。
【００７７】
記憶部２２Ａは、メニュー・レシピＤＢ２２１、属性/嗜好テーブル２２２Ａ、属性/人気メニューランキングテーブル２２３Ａおよび個人嗜好テーブル２２４を備える。
【００７８】
属性判定部２１２Ａは、ユーザの嗜好属性として、ユーザの居住する地域情報を用いる。上述したように、同じメニューであっても、居住地域によっても味付けの嗜好に違いがある。例えば、関西地方に住む人は、関東地方に住む人よりも塩味は薄く出汁の効いた味を好み、九州地方に住む人はとかく甘い味付けを、東北地方に住む人は、とかく塩辛い味付けを好む、などの傾向がある。具体的には、属性判定部２１２Ａは、調理装置１０とネットワーク回線４０との接続に必要な情報である、例えばＩＰアドレスに基づいてユーザの居住地域を判定する。
【００７９】
嗜好収集部２１３Ａは、嗜好属性としての居住地域による調理の嗜好の情報を収集する。嗜好収集部２１３Ａは、サーバ２０に接続された複数の調理装置１０を介してレシピの提供を要求する複数のユーザを対象として、前記嗜好属性ごとの調理の嗜好の情報を収集する。嗜好収集部２１３Ａにより、収集された嗜好の情報は、記憶部２２Ａの属性/嗜好テーブル２２２Ａに格納される。
【００８０】
図９は、属性/嗜好テーブル２２２Ａの内容を示す図である。図９に示すように、メニューごとに、嗜好属性である居住地域に対応付けて、調理の嗜好の情報が格納されている。
【００８１】
人気メニューランキング収集部２１４Ａは、嗜好属性としての居住地域による人気メニューランキングの情報を収集する。人気メニューランキング収集部２１４Ａは、サーバ２０に接続された複数の調理装置１０を介してメニューの提案を要求する複数のユーザを対象として、前記嗜好属性ごとの好まれるメニューの情報を収集する。嗜好収集部２１３Ａにより、収集された人気メニューランキングの情報は、記憶部２２Ａの属性/人気メニューランキングにテーブル２２３Ａに格納される。
【００８２】
図１０は、属性/人気メニューランキングテーブル２２３Ａの内容を示す図である。図１０に示すように、嗜好属性である居住地域に対応付けて、「朝食メニュー」、「昼食メニュー」、「夕食メニュー」、「和食メニュー」、「中華メニュー」…の項目ごとに上位３位ほどの人気メニューランキングの情報が格納されている。
【００８３】
レシピ提供部２１５Ａは、属性判定部２１２Ａにて判定されたユーザの嗜好属性と、嗜好収集部２１３Ａにて収集された嗜好属性ごとの調理の嗜好の情報とに基づいて、ユーザの嗜好にあったレシピを提供する。
【００８４】
例えば、属性判定部２１２において、関西地方に住むと判定された場合は、図１０における、居住地域「関西」の欄に登録されている調整度数を用いて基本レシピを調整した調整済レシピの情報を提供する。
【００８５】
メニュー提案部２１６Ａは、属性判定部２１２Ａにて判定されたユーザの嗜好属性と、人気メニューランキング収集部２１４Ａにて収集された嗜好属性ごとの人気メニューランキングの情報とに基づいて、ユーザの嗜好にあった人気メニューを提案する。
【００８６】
例えば、属性判定部２１２Ａにおいて、北海道に住むと判定された場合は、図１０における、居住地域「北海道」の欄に登録されているメニューの中から、指定された項目（夕食メニューや朝食メニューなど）に属するメニューを提案する。
【００８７】
学習部２１７Ａは、個人および対応する嗜好属性の調理に関する嗜好を学習する。学習部２１７Ａは、音声認識部２１１を介して得られた提供したレシピに対するユーザの批評・感想に基づいて、ユーザ個人の調理の嗜好の情報と、対応する嗜好属性であるユーザと同じ居住地域の調理の嗜好の情報を収集する。収集された個人の嗜好の情報は、記憶部２２の個人嗜好テーブル２２４に格納され、収集された同じ居住地域の嗜好の情報は、属性/嗜好テーブル２２２Ａの更新に用いられる。
【００８８】
図１１は、レシピ提供システム１００Ａにおける、レシピの提供を要求されてから、レシピを提供し、提供したレシピに対する批評・感想を用いて個人の嗜好および対応する嗜好属性の嗜好について学習するまでの一連の処理を示すイメージ図である。
【００８９】
調理装置１０に対し、関西在住のユーザがレシピの提供を要求する、例えば「茶碗蒸しの作り方を教えて。」と発話すると、調理装置１０は、この発話の音声データをサーバ２０にアップロード（音声アップロード）する（図１１の（１））。
【００９０】
サーバ２０Ａは、アップロードされた音声データを音声認識し、茶碗蒸しのレシピが要求されたことを認識すると共に、嗜好属性としてＩＰアドレスから発話者の居住地域を判定し、茶碗蒸しのレシピを要求したユーザは、関西地方に住む人であると特定する（図１１の（２））。
【００９１】
次に、サーバ２０Ａは、記憶部２２に対し、関西地方に住む人の嗜好に合った茶碗蒸しのレシピを問合せる（図１１の（３））。
【００９２】
具体的には、サーバ２０Ａは、図６に示す属性/嗜好テーブル２２２Ａにおいて、メニュー「茶碗蒸し」の各項目における、居住地域が関西地方の欄に登録されている調整度数に応じて、基本レシピを調整した調整済レシピの情報を取得し、取得した調整済レシピを調理装置１０にダウンロードする（図１１の（４））。
【００９３】
このとき、サーバ２０Ａは、関西地方の人の嗜好に合わせた味付けの特徴を伝える、例えば「関西風茶碗蒸しのレシピはどうかなぁ？」などの音声データもレシピの情報と共に送る。
【００９４】
これにより、調理装置１０は、「関西風茶碗蒸しのレシピはどうかなぁ？」といった発話と共に、関西地方に住む発話ユーザに対し、嗜好に合った茶碗蒸しのレシピを提供することができる。
【００９５】
調理後、調理装置１０は、前に提供したレシピに対するユーザの批評・感想を得るために、例えば「この前作った茶碗蒸しどうだったかなぁ？」と発話する。これに対し、ユーザが、「出汁が効いて美味しかったよ。」と発話すると、調理装置１０は、感想・批評を示すこの発話の音声データをサーバ２０にアップロード（音声アップロード）する（図１１の（５））。また、このとき、調理装置１０は、ユーザの回答に応じて、例えば「ありがとう、次もがんばるね。」といった返事を発話する。
【００９６】
サーバ２０Ａは、アップロードされた音声データを音声認識して、提供したレシピに対する批評・感想の内容を特定すると共に、発話者の嗜好属性として居住地域を判定し、提供したレシピに対する批評・感想を述べたユーザは、関西地方に住む人であると特定する（図１１の（６））。
【００９７】
次に、サーバ２０Ａは、提供したレシピに対する批評・感想の内容を用いて、調理装置１０に対応付けられた関西地方に住むユーザ個人の個人嗜好テーブル２２４および、属性/嗜好テーブル２２２Ａにおける関西地方の調理の嗜好の情報を更新し、学習する（図１１の（７））。
【００９８】
例えば、批評・感想の内容が「出汁が効いて美味しかったよ。」であれば、個人嗜好テーブル２２４におけるメニュー「茶碗蒸し」の嗜好の情報において、提案したレシピの調整度数をそのまま登録する。また、属性/嗜好テーブル２２２におけるメニュー「茶碗蒸し」の７０代の女性の嗜好の情報においては、「丁度良い」の回答が得られたことを、更新のために必要なデータとして記録する。
【００９９】
〔実施の形態３〕
以下、本発明のさらに他の実施の一形態について図１２に基づいて説明すれば以下の通りである。なお、説明の便宜上、実施の形態１、２と同じ機能を有する部材には同一の参照符号を付して説明を省略する。
【０１００】
実施の形態１に係るレシピ提供システム１００においては、ユーザの嗜好属性として、ユーザの年齢・性別（＋機嫌）を用いており、実施の形態２に係るレシピ提供システム１００Ａにおいて、ユーザの嗜好属性として、ユーザの居住地域を用いていた。
【０１０１】
本実施の形態に係るレシピ提供システム１００Ｂにおいては、ユーザの嗜好属性として、ユーザの年齢・性別（＋機嫌）およびユーザの居住地域を用いる。
【０１０２】
図１２は、レシピ提供システム１００Ｂにおける、レシピの提供を要求されてから、レシピを提供し、提供したレシピに対する批評・感想を用いて個人の嗜好および対応する嗜好属性の嗜好について学習するまでの一連の処理を示すイメージ図である。サーバ２０Ｂは、制御部２１Ｂおよび記憶部２２Ｂ等を備える。
【０１０３】
サーバ２０Ｂ、ユーザの嗜好属性として、ユーザの年齢・性別（＋機嫌）およびユーザの居住地域を用いて、記憶部２２Ｂを参照して、調理装置１０を介してレシピの提供やメニューの提案を要求したユーザに対し、当該ユーザの世代および性別および居住地域に合ったレシピを提供し、メニューを提案する。
【０１０４】
また、サーバ２０Ｂは、提供したレシピに対する批評・感想の内容を取得すると、記憶部２２ｂにおける、調理装置１０に対応付けられたユーザ個人の調理の嗜好の情報、および対応する世代および性別および居住地域の調理の嗜好の情報を更新し、学習する。
【０１０５】
なお、ユーザの嗜好属性として、ユーザの年齢・性別（＋機嫌）を用いる場合と、ユーザの居住地域を用いる場合については既に説明しているので、ここではこれ以上の説明は行わない。
【０１０６】
〔実施の形態４〕
以下、本発明のさらに他の実施の一形態について図１３に基づいて説明すれば以下の通りである。なお、説明の便宜上、実施の形態１〜３と同じ機能を有する部材には同一の参照符号を付して説明を省略する。
【０１０７】
図１３は、本発明のさらに他の実施の一態様に係るレシピ提供システム１００Ｃにおける、レシピの提供を要求されてから、レシピを提供するまでの処理を示すイメージ図である。サーバ２０Ｃは、制御部２１Ｃおよび記憶部２２Ｃ等を備える。
【０１０８】
レシピ提供システム１００Ｃにおいて、調理装置１０とサーバ２０Ｃと調理装置１０のユーザの通信端末装置５０は、サーバ２０Ｃの記憶部２２Ｃに予めペアリング登録されている。また、調理装置１０のユーザは、通信端末装置５０を用いて、サーバ２０Ｃの記憶部２２Ｃに、年齢や性別、居住地域等を含む個人情報を登録しておく。
【０１０９】
サーバ２０Ｃは、記憶部２２Ｃを参照し、登録されたユーザの個人情報より、ユーザの嗜好属性である年齢・性別、居住地域の情報を取得し、ユーザの嗜好性に合ったレシピを提供し、メニューを提案する。
【０１１０】
上記構成によれば、調理装置１０に音声入力部１４が具備されておらず、表示部１５による表示情報に基づいてメニューやレシピを検索する構成であったとしても、ユーザの年齢・性別の情報を得ることができる。
【０１１１】
〔実施の形態５〕
サーバ２０，２０Ａ，２０Ｂ，２０Ｃの制御部２１（特に、属性判定部２１２，２１２Ａ、嗜好収集部２１３，２１３Ａ，人気メニューランキング収集部２１４，２１４Ａ、レシピ提供部２１５，２１５Ａ、メニュー提供部２１６，２１６Ａ、学習部２１７，２１７Ａ）は、集積回路（ＩＣチップ）等に形成された論理回路（ハードウェア）によって実現してもよいし、ＣＰＵ（Central Processing Unit）を用いてソフトウェアによって実現してもよい。
【０１１２】
後者の場合、サーバ２０，２０Ａ，２０Ｂ，２０Ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１３】
〔まとめ〕
本発明の態様１に係るレシピ提供システム１００〜１００Ｃは、ネットワーク回線４０を通じてサーバ２０〜２０Ｃより料理のレシピを、電気機器（調理装置１０）を介して提供するレシピ提供システム１００〜１００Ｃであって、レシピの提供を要求する前記電気機器のユーザの、調理の嗜好を特定するための属性（嗜好属性）を判定する属性判定部２１２，２１２Ａと、前記属性により特定される前記嗜好の情報を収集する嗜好収集部２１３，２１３Ａと、前記属性判定部にて判定された前記ユーザの前記属性と前記嗜好収集部にて収集された前記情報とに基づいて、前記ユーザの嗜好にあったレシピを提供するレシピ提供部２１５，２１５Ａと、を備えることを特徴とする。
【０１１４】
上記構成によれば、属性判定部２１２，２１２Ａが、レシピの提供を要求する電気機器のユーザの、調理の嗜好を特定するための属性（嗜好属性）を判定する。一方、嗜好収集部２１３，２１３Ａは、前記属性により特定される前記嗜好の情報を収集している。レシピ提供部２１５，２１５Ａは、属性判定部にて判定されたユーザの属性と嗜好収集部にて収集された前記情報とに基づいて、ユーザの嗜好にあったレシピを提供する。
【０１１５】
これにより、電気機器の購入時より各個人の嗜好に近いレシピを提供することが可能になる。
【０１１６】
本発明の態様２に係るレシピ提供システム１００，１００Ｂは、さらに、前記属性が、前記ユーザの性別又は年齢又はその両方である構成である。
【０１１７】
味付けや焼き具合、煮具合などの調理の嗜好は、年代や性別が同じ場合似通った傾向し、年代と性別の両方が同じ場合さらに似通った傾向を示す。そこで、前記属性としてユーザの性別又は年齢又はその両方を用いていることで、ユーザの嗜好にあったレシピを提供することができる。
【０１１８】
本発明の態様３に係るレシピ提供システム１００，１００Ｂは、さらに、前記属性判定部２１２は、前記電気機器に搭載された音声入力部１４より入力された前記ユーザの音声を認識することで前記ユーザの性別又は年齢又はその両方を判定する構成である。
【０１１９】
上記構成によれば、ユーザの音声を音声認識することで年代と性別の情報を得て、前記属性として用いる。したがって、例えば、電気機器が、音声操作によってレシピの提供を要求する構成であれば、ユーザに年齢や性別を入力させる手間をかけさせることなく、嗜好にあったレシピの提供を受けることができる。
【０１２０】
本発明の態様４に係るレシピ提供システム１００Ａ，１００Ｂは、さらに、前記属性が、前記ユーザの居住する地域である構成である。
【０１２１】
味付けは、関東地方や関西地方など、住む地域が同じ場合似通った傾向を示す。そこで、前記属性としてユーザの居住する地域の情報を用いていることで、ユーザの嗜好にあったレシピを提供することができる。
【０１２２】
本発明の態様５に係るレシピ提供システム１００Ａ，１００Ｂは、さらに、前記属性判定部２１２Ａは、前記電気機器と前記ネットワーク回線との接続に必要な情報に基づいて前記ユーザの居住する地域を判定する構成である。
【０１２３】
上記構成によれば、電気機器とネットワーク回線との接続に必要な情報に基づいてユーザの居住する地域を特定し、前記属性として用いる。接続に必要な情報である例えばＩＰアドレスからは、電気機器が設置されている地域の情報を取得できる。したがって、接続に必要な情報を用いることで、ユーザに居住地域を入力させる手間をかけさせることなく、嗜好にあったレシピの提供を受けることができる。
【０１２４】
本発明の態様６に係るレシピ提供システム１００〜１００Ｃは、前記属性は、好まれる料理のメニューも特定するものであり、ネットワーク回線４０を通じてサーバよりメニューを、電気機器（調理装置１０）を介して提案するメニュー提案部２１６，２１６Ａと、前記属性により特定される好まれるメニューの情報を収集するメニュー収集部（人気メニューランキング収集部２１４，２１４Ａ）と、をさらに備え、前記属性判定部は、メニューの提案を要求する前記電気機器のユーザの前記属性を判定し、前記メニュー提案部は、前記属性判定部にて判定された前記ユーザの前記属性と前記メニュー収集部にて収集された前記情報とに基づいて、前記ユーザの好みにあったメニューを提案する構成である。
【０１２５】
上記構成によれば、前記属性を、好まれる料理のメニューも特定するものにも用い、メニュー収集部が、前記属性により特定される好まれるメニューの情報を収集している。メニュー提案部２１６，２１６Ａは、属性判定部にて判定されたユーザの属性とメニュー収集部にて収集された前記情報とに基づいて、ユーザの好みにあったメニューを提案する。
【０１２６】
これにより、電気機器の購入時より各個人の好みに近いメニューを提案することが可能になる。
【０１２７】
本発明の態様７に係るサーバ２０〜２０Ｃは、ネットワーク回線４０を通じて料理のレシピを、電気機器（調理装置１０）を介して提供するサーバであって、前記電気機器を介してレシピの提供を要求する複数のユーザを対象として、調理の嗜好を特定するための属性ごとの前記嗜好の情報を収集する嗜好収集部２１３，２１３Ａと、前記電気機器を介してレシピの提供を要求する前記複数のユーザそれぞれの前記属性を判定する属性判定部２１２，２１２Ａと、前記属性判定部にて判定された前記複数のユーザそれぞれの前記属性と前記嗜好収集部にて収集された前記情報とに基づいて、前記複数のユーザそれぞれの嗜好にあったレシピを提供するレシピ提供部２１５，２１５Ａと、を備える構成である。
【０１２８】
上記構成によれば、上述したレシピ提供システム１００と同様に、電気機器の購入時より各個人の嗜好に近いレシピを提供することが可能になる。
【０１２９】
本発明は上述した各実施の形態に限定されるものではなく、種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【０１３０】
１０  調理装置（電気機器）
１１、２１、２１Ａ、２１Ｂ、２１Ｃ  制御部
１２、２２、２２Ａ、２２Ｂ、２２Ｃ  記憶部
１３  音声出力部
１４  音声入力部
１５  表示部
１６、２３  通信部
２０、２０Ａ、２０Ｂ、２０Ｃ  サーバ
４０  ネットワーク回線
５０  通信端末装置
１００、１００Ｂ、１００、１００Ｃ  レシピ提供システム
１１１  音声出力制御部
１１２  音声入力制御部
１１３  表示制御部
１１４、２１８  通信制御部
２１１  音声認識部
２１２、２１２Ａ  属性判定部
２１３、２１３Ａ  嗜好収集部
２１４、２１４Ａ  人気メニューランキング収集部
２１５、２１５Ａ  レシピ提供部
２１６、２１６Ａ  メニュー提案部
２１６、２１６Ａ  メニュー提供部
２１７、２１７Ａ  学習部
２２２、２２２Ａ  嗜好テーブル
２２３、２２３Ａ  人気メニューランキングテーブル
２２４  個人嗜好テーブル
２２１  レシピ・メニューＤＢ
【図１】
2017215687.tif 000003
【図２】
2017215687.tif 000004
【図３】
2017215687.tif 000005
【図４】
2017215687.tif 000006
【図５】
2017215687.tif 000007
【図６】
2017215687.tif 000008
【図７】
2017215687.tif 000009
【図８】
2017215687.tif 000010
【図９】
2017215687.tif 000011
【図１０】
2017215687.tif 000012
【図１１】
2017215687.tif 000013
【図１２】
2017215687.tif 000014
【図１３】
2017215687.tif 000015